(57)【要約】【課題】処理時間の短縮を図り、かつ、より一層ダイナミックレンジの拡大を図ることができ、しかも、フィールド毎に適正なカラー画像を得ることができるデジタルカメラを提供する。【解決手段】本発明のデジタルカメラは、静止画取り込み時に、Ｒ成分とＧ成分とＢ成分との三成分からなる色信号又はＹ成分とＭ成分とＣ成分とＧ成分との四成分からなる色信号をフィールド毎に転送するインターレース転送方式の固体撮像素子４と、固体撮像素子の駆動回路５、制御部８とを備えたものにおいて、少なくとも三成分を含む色信号のフレーム駆動期間を露光時間が互いに異なる第１フィールドと第２フィールドと第３フィールドとに分けて前記固体撮像素子から信号電荷が画像データとして読み出されるようにフィールド読み出し信号に基づき転送制御すると共に、第１フィールドと第２フィールドと第３フィールドとに分けて入力された画像データを合成処理して画像を生成するダイナミックレンジ拡大撮影モードを有する。【選択図】  図１
2005012315.tif 000002
【特許請求の範囲】
【請求項１】
静止画取り込み時に、Ｒ成分とＧ成分とＢ成分との三成分からなる色信号又はＹ成分とＭ成分とＣ成分とＧ成分との四成分からなる色信号をフィールド毎に転送するインターレース転送方式の固体撮像素子と、該固体撮像素子の駆動回路とを備えたデジタルカメラにおいて、
少なくとも三成分を含む色信号のフレーム駆動期間を露光時間が互いに異なる第１フィールドと第２フィールドと第３フィールドとに分けて前記固体撮像素子から信号電荷が画像データとして読み出されるようにフィールド読み出し信号に基づき転送制御すると共に、前記第１フィールドと前記第２フィールドと前記第３フィールドとに分けて入力された画像データを合成処理して画像を生成するダイナミックレンジ拡大撮影モードを有することを特徴とするデジタルカメラ。
【請求項２】
前記各フィールドの露光開始時点が前記フレーム駆動期間開始前の本露光期間の電子シャッタパルスの出力終了時点であり、各フィールド毎に露光終了時点がずらされていることを特徴とする請求項１に記載のデジタルカメラ。
【請求項３】
前記第１フィールドの露光終了時点と前記第２フィールドの露光終了時点とが前記フィールド読み出し信号の出力開始時点であり、前記第３フィールドの露光終了時点がメカニカルシャッタの閉成時点であることを特徴とする請求項２に記載のデジタルカメラ。
【請求項４】
静止画取り込み時に、Ｒ成分とＧ成分とＢ成分との三成分からなる色信号又はＹ成分とＭ成分とＣ成分とＧ成分との四成分からなる色信号をフィールド毎に転送するインターレース転送方式の固体撮像素子と、該固体撮像素子の駆動回路とを備えたデジタルカメラにおいて、
露光と転送とを交互にかつ露光時間を異ならせて少なくとも２回以上行うことにより第１フィールドの信号電荷と第２フィールドの信号電荷とが前記固体撮像素子から画像データとして読み出されるように露光とフィールド読み出し信号とを制御すると共に、少なくとも前記第１フィールドと前記第２フィールドとに分けて入力された画像データを合成処理して画像を生成するダイナミックレンジ拡大撮影モードを有することを特徴とするデジタルカメラ。
【請求項５】
２回以上の露光と転送とを同一フィールドで実行することを特徴とする請求項４に記載のデジタルカメラ。
【請求項６】
露光開始時点が電子シャッタパルスの出力終了時点であり、露光終了時点がメカニカルシャッタの閉成時点であることを特徴とする請求項４に記載のデジタルカメラ。
【請求項７】
前記ダイナミックレンジ拡大撮影モードの設定を使用者が選択可能な操作ボタンを有することを特徴とする請求項１又は請求項４に記載のデジタルカメラ。
【請求項８】
被写体の逆光条件を判定して逆光条件であると判定した時に前記ダイナミックレンジ拡大撮影モードを自動的に実行することを特徴とする請求項１又は請求項４に記載のデジタルカメラ。
【請求項９】
ストロボが発光禁止状態の時に前記ダイナミックレンジ拡大撮影モードに切り換えられることを特徴とする請求項８に記載のデジタルカメラ。
【発明の詳細な説明】
【０００１】
【発明の属する技術分野】
本発明は、ダイナミックレンジの拡大を図ることのできるデジタルカメラに関する。
【０００２】
【従来の技術】
デジタルカメラでは、再現できる明るさの幅（ダイナミックレンジ）に限界があり、再現できる領域よりも明るいところは真っ白に写り、一方、暗いところは真っ黒に写り、人間が目で見て認識できる領域よりも狭いので、白っぽいところは白トビし、暗いところは黒くつぶれる現象がある。
【０００３】
そこで、デジタルカメラには、２枚の画像を合成してダイナミックレンジの拡大を図ったものが知られている（例えば、特許文献１参照。）。
【０００４】
この特許文献１に開示のデジタルカメラでは、シャッタボタンの操作に応答して被写体の静止画を撮影するとき、露光時間の互いに異なる第１露光と第２露光とを行わせ、２フィールド転送により得られた静止画像を合成してダイナミックレンジの拡大を図る構成としている。
【０００５】
この２フィールド転送方式によれば、白トビ、黒潰れの少ない合成画像を得ることができる。
【０００６】
【特許文献１】
特開２００１−２７５０４４号公報
【０００７】
【発明が解決しようとする課題】
しかしながら、この従来のものでは、２フィールド転送シーケンス処理に時間がかかり、かつ、フィールド毎に適正なカラー画像を得ることができないという不都合がある。また、ダイナミックレンジの拡大にも限度がある。
【０００８】
本発明は、上記の事情に鑑みて為されたもので、その目的とするところは、処理時間の短縮を図り、かつ、より一層ダイナミックレンジの拡大を図ることができ、しかも、フィールド毎に適正なカラー画像を得ることができるデジタルカメラを提供することにある。
【０００９】
ひいては、スミア現象の発生を抑制することのできるデジタルカメラを提供することにある。
【００１０】
【課題を解決するための手段】
請求項１に記載のデジタルカメラは、静止画取り込み時に、Ｒ成分とＧ成分とＢ成分との三成分からなる色信号又はＹ成分とＭ成分とＣ成分とＧ成分との四成分からなる色信号をフィールド毎に転送するインターレース転送方式の固体撮像素子と、該固体撮像素子の駆動回路とを備えたものにおいて、
少なくとも三成分を含む色信号のフレーム駆動期間を露光時間が互いに異なる第１フィールドと第２フィールドと第３フィールドとに分けて前記固体撮像素子から信号電荷が画像データとして読み出されるようにフィールド読み出し信号に基づき転送制御すると共に、前記第１フィールドと前記第２フィールドと前記第３フィールドとに分けて入力された画像データを合成処理して画像を生成するダイナミックレンジ拡大撮影モードを有することを特徴とする。
【００１１】
請求項２に記載のデジタルカメラは、前記各フィールドの露光開始時点が前記フレーム駆動期間開始前の本露光期間の電子シャッタパルスの出力終了時点であり、各フィールド毎に露光終了時点がずらされていることを特徴とする。
【００１２】
請求項３に記載のデジタルカメラは、前記第１フィールドの露光終了時点と前記第２フィールドの露光終了時点とが前記フィールド読み出し信号の出力開始時点であり、前記第３フィールドの露光終了時点がメカニカルシャッタの閉成時点であることを特徴とする。
【００１３】
請求項４に記載のデジタルカメラは、静止画取り込み時に、Ｒ成分とＧ成分とＢ成分との三成分からなる色信号又はＹ成分とＭ成分とＣ成分とＧ成分との四成分からなる色信号をフィールド毎に転送するインターレース転送方式の固体撮像素子と、該固体撮像素子の駆動回路とを備えたものにおいて、露光と転送とを交互にかつ露光時間を異ならせて少なくとも２回以上行うことにより第１フィールドの信号電荷と第２フィールドの信号電荷とが前記固体撮像素子から画像データとして読み出されるように露光とフィールド読み出し信号とを制御すると共に、少なくとも前記第１フィールドと前記第２フィールドとに分けて入力された画像データを合成処理して画像を生成するダイナミックレンジ拡大撮影モードを有することを特徴とする。
【００１４】
請求項５に記載のデジタルカメラは、２回以上の露光と転送とを同一フィールドで実行することを特徴とする。
【００１５】
請求項６に記載のデジタルカメラは、露光開始時点が電子シャッタパルスの出力終了時点であり、露光終了時点がメカニカルシャッタの閉成時点であることを特徴とする。
【００１６】
請求項７に記載のデジタルカメラは、前記ダイナミックレンジ拡大撮影モードの設定を使用者が選択可能な操作ボタンを有することを特徴とする。
【００１７】
請求項８に記載のデジタルカメラは、被写体の逆光条件を判定して逆光条件であると判定した時に前記ダイナミックレンジ拡大撮影モードを自動的に実行することを特徴とする。
【００１８】
請求項９に記載のデジタルカメラは、ストロボが発光禁止状態の時に前記ダイナミックレンジ拡大撮影モードに切り換えられることを特徴とする。
【００１９】
【発明の実施の形態】
図１において、１はメカニカルシャッタとしての絞りシャッタ、２はレンズユニット、３は光学系駆動部、４はＣＣＤ（固体撮像素子）、５はタイミングジェネレータ（駆動部）、６はＣＤＳ・Ａ／Ｄ変換回路、７は画像処理ＩＣ回路、８はＣＰＵ（制御部）、９はストロボユニット、１０はカメラの電源部である。
【００２０】
絞りシャッタ１はＡＥ制御により開放、小絞り、クローズの動作制御を行う。レンズユニット２はズーム・フォーカス機能を有する。光学系駆動部３は絞りシャッタ１とレンズユニット２とを駆動制御する。
【００２１】
ＣＣＤ４は、図２に示すように、Ｒ成分、Ｇ成分、Ｂ成分の信号電荷をそれぞれ蓄積する電荷蓄積素子Ｒ、Ｇ、Ｂと垂直転送ＣＣＤ回路２０と水平転送ＣＣＤ回路２１とを有する。
【００２２】
ＣＣＤ４は、Ｒ成分、Ｇ成分に対応する信号電荷蓄積素子が交互に水平方向に配列された水平信号電荷ラインＨ１と、Ｇ成分とＢ成分に対応する信号電荷蓄積素子が交互に水平方向に配列された水平信号電荷ラインＨ２とが交互に垂直方向に配列された電荷ラインからなっている。
【００２３】
そのＣＣＤ４は、タイミングジェネレータ５によってインターレース走査され、第１フィールドと第２フィールドと第３フィールドとに分けて信号電荷が電荷蓄積素子Ｒ、Ｇ、Ｂから図２（Ａ）、（Ｂ）、（Ｃ）に示すように読み出される。
【００２４】
その図２において、（Ａ）は第１フィールドでの信号電荷の読み出しを示し、（Ｂ）は第２フィールドでの信号電荷の読み出しを示し、（Ｃ）は第３フィールドでの信号電荷の読み出しを示し、ハッチングで示した部分が読み出し中の電荷蓄積素子を示している。
【００２５】
通常の偶数フィールドと奇数フィールドとを合成して１枚の画像を得るインターレース転送方式の１ライン飛び越し走査によるものでは、一方のフィールドが例えばＲ成分とＧ成分とから構成され、他方のフィールドがＧ成分とＢ成分とから構成されるため、１枚のフィールド画像のみでは、Ｂ成分又はＲ成分を欠くために、適正な色を有する一枚の静止画像を形成することが困難である。
【００２６】
これに対して、この発明の実施の形態による２ライン飛び越し走査によるインターレース転送方式では、例えば、第１フィールドがＲ成分とＧ成分とが水平方向に交互に配列された水平信号電荷ラインＨ１とＧ成分とＢ成分とが水平方向に交互に配列された水平信号電荷ラインＨ２とから構成され、第２フィールドがＧ成分とＢ成分とが水平方向に交互に配列された水平信号電荷ラインＨ２とＲ成分とＧ成分とが水平方向に交互に配列された水平信号電荷ラインＨ１とから構成され、第３フィールドがＲ成分とＧ成分とが水平方向に交互に配列された水平信号電荷ラインＨ１とＧ成分とＢ成分とが水平方向に交互に配列された水平信号電荷ラインＨ２とから構成され、各フィールドにＲ、Ｇ、Ｂの各成分が含まれるので、フィールド単位で適正な色を有する画像を形成できる。
【００２７】
なお、ここでは、Ｒ成分、Ｇ成分、Ｂ成分の原色系の色成分を有するＣＣＤについて述べたが、Ｙ（イエロー）成分、Ｍ（マゼンタ）成分、Ｃ（シアン）成分、Ｇ（グリーン）成分の補色系の色成分を有するＣＣＤ４についても２ライン飛び越し転送方式を用いることができる。
【００２８】
そのＣＣＤ４から読み出された信号電荷はＣＤＳ・Ａ／Ｄ変換回路６に入力される。ＣＤＳ・Ａ／Ｄ変換回路６は、ＣＤＳ回路６ＡとＡＧＣ回路６ＢとＡ／Ｄ変換回路６Ｃとを有する。
【００２９】
ＣＤＳ回路６Ａは入力された信号に基づき相関二重サンプリング処理を実行し、ＡＧＣ回路６Ｂはその相関二重サンプリング処理された信号のオートゲイン調整を行い、Ａ／Ｄ変換回路６Ｃはその映像信号を画像データに変換する役割を果たす。
【００３０】
その画像データは、画像処理ＩＣ処理回路７に入力される。画像処理ＩＣ回路７は入力処理回路１１、広ダイナミックレンジ撮影処理部１２、画像処理部１３、制御部１４からなっている。
【００３１】
画像データは、入力処理回路１１により所要の処理を施され、画像処理部１３でデジタル的な画像処理が行われると共に画像圧縮技術を用いて記録データへの変換処理が行われる。また、その画像データは画像表示部２３に出力され、画像表示部２３の画面に静止画データが表示される。
【００３２】
その画像処理部１３、広ダイナミックレンジ撮影処理部１２、入力処理回路１１等の制御は制御部１４を介して行われる。
【００３３】
その画像データは、デジタル処理の際にアドレスデータバス１５を介して画像データバッファメモリ１６に一時保存され、圧縮処理された画像データは画像データ記録部１７に記録され、必要に応じて通信系１８’を介して外部に送信される。
【００３４】
その光学系駆動部３、画像処理ＩＣ回路７、アドレスデータバス１５、ストロボユニット９は、ＣＰＵ８に接続されている。ＣＰＵ８には操作系スイッチ１８の操作情報が入力され、ＣＰＵ８はアドレスデータバス１５を介してプログラム用メモリ１９との間で情報の授受を行うと共に、光学系駆動部３、画像処理ＩＣ回路７、ストロボユニット９の制御の他、その他の制御を実行する。ＣＰＵ８はまた必要に応じて通信系１８’と情報の授受を行い、画像データを送受する。
【００３５】
その操作系スイッチ１８は、静止画撮影時の第１レリーズ押しボタン、第２レリーズ押しボタン、ＡＥ撮影モード設定押しボタン、広ダイナミックレンジ撮影処理部１２を広ダイナミックレンジ撮影モードに使用者が設定するための操作ボタン、その他スイッチからなる。
【００３６】
次に、露光時間を異ならせてフィールド撮影した場合の広ダイナミックレンジの原理について説明する。
【００３７】
ここでは、２フィールドに分けて露光時間を異ならせて撮影した場合について、図３を参照しつつ説明するが、３フィールドに分けて露光時間を異ならせて撮影した場合でも原理は同じである。
【００３８】
図３に示すように、通常の撮影では、被写体の輝度分布Ｐ１に対してカメラの再現領域Ｑ１が狭いときには、主要被写体Ｍに対する適正露光位置（通常撮影の適正露光量Ｅｖ）をＮ１とすると、ＣＣＤ４の出力分布Ｒ１は、被写体の低輝度端側と被写体の高輝度端側とでクリップした状態となる。
【００３９】
すなわち、被写体の輝度分布Ｐ１のうちカメラの再現領域Ｑ１よりも低輝度端側の分布はその低輝度端部分に加算され、被写体の輝度分布Ｐ１のうちカメラの再現領域Ｑ１よりも高輝度端側の分布はその高輝度端部分に加算される。
【００４０】
従って、画像処理ＩＣ回路７による画像処理後の出力分布Ｓ１も同様に被写体の低輝度端側と被写体の高輝度端側とでクリップした状態となり、静止画像としては、黒つぶれでかつ白飛びの状態となる。
【００４１】
これに対して、広ダイナミックレンジ撮影では、被写体の暗部を重視した撮影、すなわち、通常撮影の主要被写体Ｍの適正露光位置Ｅｖに対して露出補正（−αＥｖ）に相当する分の露出補正を行うために通常撮影時の適正露光時間よりも露光時間を短く制御した撮影と、主要被写体Ｍの明部を重視した撮影、すなわち、通常撮影の主要被写体Ｍの適正露光位置Ｅｖに対して露出補正（βＥｖ）に相当する分の露出補正を行うために通常撮影時の適正露光時間よりも露光時間を長く制御した撮影とが実行される。その暗部を重視した撮影においては、ＣＣＤ４の出力分布Ｒ２はその低輝度端側でのクリップが避けられ、その明部を重視した撮影においては、ＣＣＤ４の出力分布Ｒ３は高輝度端側でのクリップが避けられる。
【００４２】
画像処理ＩＣ回路７は、その暗部を重視して撮影により得られた画像データと、明部を重視して撮影により得られた画像データとを判定し、合成処理することにより、その合成出力分布Ｓ２は低輝度端側から高輝度端側でクリップの少ない分布状態となり、結果として、黒つぶれが少なくてかつ白飛びも少ない静止画像を得ることができる。
【００４３】
ここでは、２フィールドに分けて露光時間を異ならせて広ダイナミックレンジ撮影を行う場合について説明したが、３フィールドに分けて露光時間を異ならせて広ダイナミックレンジ撮影を行った場合には、更に広範囲のダイナミックレンジをカバーできることになる。その広ダイナミックレンジ撮影モードでの露光量の設定は、ユーザーが広ダイナミックレンジ撮影モードに設定するための操作ボタンを用いて適宜設定することができ、例えば、＋１Ｅｖ、−１Ｅｖとすることができる。
【００４４】
以下に、３フィールド転送方式による具体的実施例を図４、図５を参照しつつ説明する。
【００４５】
（実施例１）
図４に示すように、ＣＣＤ４の駆動モードのモニタリング駆動中に、電子シャッタ信号Ｘが出力され、ＣＣＤ４の電荷蓄積素子Ｒ、Ｇ、Ｂに蓄積されていた電荷が掃き出される。ついで、ＣＰＵ８は垂直同期信号ＶＤに同期して、例えばストロボユニット９を駆動し、被写体を照明する。
【００４６】
これにより、ＣＣＤ４の駆動モードは被写体が本露光される本露光モードとなる。ＣＣＤ４の駆動モードは、電子シャッタ信号Ｘの出力終了時点からフレーム駆動モードに移行する。画像ＩＣ処理回路７は、第１フィールドの露光時間Ｔ１、第２フィールドの露光時間Ｔ２、第３フィールドの露光時間Ｔ３が開始されるようにタイミングジェネレータ５を制御する。これらの各フィールドの露光終了時間はずらされており、第３フィールドの露光終了時間は絞りシャッタ１の閉成時点とされている。
【００４７】
そして、画像処理ＩＣ回路７は、所定の露光時間Ｔ１の経過後に第１フィールド読み出し信号Ｋ１が出力されるようにタイミングジェネレータ５を制御し、第１フィールドに対応する電荷蓄積素子Ｒ、Ｇ、Ｂの信号電荷が画像データとして読み出されて、画像処理ＩＣ回路７に採り込まれ、いったん例えば画像データバッファメモリ１６に保存される。
【００４８】
ついで、第２フィールド読み出し信号Ｋ２が出力されると、第２フィールドに対応する電荷蓄積素子Ｒ、Ｇ、Ｂの信号電荷が画像データとして読み出されて、画像処理ＩＣ回路７に採り込まれ、同様に画像データバッファメモリ１６に保存される。
【００４９】
そして、第３フィールド読み出し信号Ｋ３が絞りシャッタ１の閉成と同時に出力されると、第３フィールドに対応する電荷蓄積素子Ｒ、Ｇ、Ｂの信号電荷が画像データとして読み出されて、画像処理ＩＣ回路７に採り込まれ、同様に画像データバッファメモリ１６に保存される。
【００５０】
画像処理ＩＣ回路７の広ダイナミックレンジ撮影処理部１２は、画像データバッファメモリ１６に保存されている各フィールドの画像データを呼び出して画像を判定し、合成処理して画像表示部２３に出力する。
【００５１】
なお、この露光時間Ｔ１〜Ｔ３は、垂直同期信号ＶＤの周期に律束されるが、ＣＣＤ４の駆動周波数を切り換えることによりこの垂直同期信号ＶＤによる制限を緩和することができる。例えば、駆動周波数を上昇させると、垂直同期信号ＶＤの周期が短くなり、従って、露光時間Ｔ２、Ｔ３を短い露光時間に設定できる。
【００５２】
この３フィールドインターレース転送方式のＣＣＤ４によれば、飽和信号量、感度、Ｓ／Ｎの各特性の改善を図ることができ、一度に垂直転送ＣＣＤ回路２０を流れる信号電荷量の減少を図ることもでき、結果的に飽和信号量の増加が可能となる。
【００５３】
更に、このＣＣＤ４によれば、各フィールド共にＲ、Ｇ、Ｂの三成分が含まれているので、フィールド単位で１枚の適正なカラー画像として用いることができる。
【００５４】
例えば、縦１５００画素で横２０００画素の３００万画素のＣＣＤ４の場合、１フィールドは縦５００画素で横２０００画素の画像データとなり、最終的にはフィールド毎に縦４８０画素でかつ横６４０画素のＶＧＡクラスの適正なカラー静止画像を得ることができる。
【００５５】
なお、この実施例１では、絞りシャッタ１の開成中に第１フィールドの信号電荷と第２フィールドの信号電荷との採り込みを行うので、垂直信号転送ＣＣＤ回路２０にスミア成分が混入するおそれがあるが、画像処理ＩＣ回路７により第１フィールドの画像データに混入しているスミア成分と第２フィールドの画像データに混入しているスミア成分とを検出し、画像合成時にスミア成分が混入している画素部分については、第３フィールドの画像データのみを用いることにして、スミア成分の混入に伴う弊害を除去できる。
（実施例２）
この実施例２は、図５に示すように、ＣＣＤ４の露光とフィールド転送とを交互に行うことにしたもので、電子シャッタ信号Ｘの出力信号時点から絞りシャッタ１の閉成に対応して出力されるフィールド読み出し信号Ｋ１’、Ｋ２’までの第１露光時間Ｔ４、第２露光時間Ｔ５を異ならせることにより、フィールドの画像データを得ることにしたものである。この実施例２では、図２（Ａ）に示すように、同一のフィールド、例えば、第１フィールドのみを用いて画像データを採り込むようにしている。
【００５６】
この実施例２によれば、絞りシャッタ１を閉じた時点で、信号電荷の採り込みを行うので、フィールド読み込みの際にスミア成分が混入することが防止される。
【００５７】
例えば、夏の海辺のように、画角内に高輝度の被写体が存在すると、高輝度被写体からの反射光に起因する信号電荷が拡散に基づき、転送中にＣＣＤ４の垂直転送ＣＣＤ回路２０に流れ込む現象が生ずるが、この実施例２によれば、絞りシャッタ１を閉じてから信号電荷の転送を行うので、スミア現象の発生を防止できる。
【００５８】
なお、この実施例２では、同一の第１フィールドのみについての信号電荷の採り込みについて説明したが、第１フィールドと第２フィールドとについて実行しても良く、２フィールド転送方式ではなく、３フィールド転送方式に適用しても良いが、信号電荷の採り込みに要する時間が長くなると、手ぶれによる画像劣化が生じることから、なるべくなら、２フィールド転送方式の採り込みとするのが望ましい。
【００５９】
以上、発明の実施の形態では、撮影者が広ダイナミックレンジモードでの撮影を任意に選択できる構成としたが、プログラム用メモリ１８’に被写体の逆光条件を判定して逆光条件であると判定した時にダイナミックレンジ拡大撮影モードが自動的に実行されるようにプログラムを組み込み、被写体の逆光条件の時に、ダイナミックレンジ拡大撮影モードを実行させても良いし、更にはストロボが発光禁止状態の時にダイナミックレンジ拡大撮影モードに自動的に切り換えられるようにプログラムを組んでも良い。
【００６０】
なお、この逆光補正にダイナミックレンジ拡大撮影モードを適用した場合には、以下に説明する効果がある。
【００６１】
すなわち、従来は、画角の中心部に対して周辺部の輝度が所定値以上の時には、逆光判定処理によってストロボを発光させ、逆光補正撮影を行い、これにより、例えば、窓辺に居る人物を撮影するような逆光撮影条件のときでも、人物を中心に撮影したときに人物が暗く写るという不具合を解消していたが、この従来の逆光補正では、人物の周囲が白トビし、特に窓の外の景色が写らないという不具合がある。
【００６２】
これに対して、この広ダイナミックレンジ撮影モードでの撮影を実行すると、ストロボを用いることなく、逆光補正と同様の効果を得ることができるばかりでなく、窓の外の景色が白トビするのも防止できる。
【００６３】
【発明の効果】
請求項１ないし請求項３に記載の発明によれば、３フィールド転送のインタレース方式のＣＣＤを用いてダイナミックレンジの拡大を図ることにしたので、手ぶれによる画像劣化を生じることなく、かつ、処理速度も速くて従来に較べてより一層広範囲にダイナミックレンジを拡大できるという効果を奏する。
【００６４】
請求項４ないし請求項６に記載の発明によれば、スミア成分の混入を防止しつつダイナミックレンジの拡大を図ることができるという効果を奏する。
【００６５】
請求項７に記載の発明によれば、ダイナミックレンジの拡大及び拡大領域をカメラのユーザーが選択できるという効果を奏する。
【００６６】
請求項８、請求項９に記載の発明によれば、逆光条件のときに逆光補正をでき、しかも、背景が白トビするのを防止できる。
【図面の簡単な説明】
【図１】本発明に係わるデジタルカメラの回路の要部構成を示す図である。
【図２】本発明に係わるＣＣＤの３フィールド読み出しの説明図で、（Ａ）は第１フィールドの読み出しを示し、（Ｂ）は第２フィールドの読み出しを示し、（Ｃ）は第３フィールドの読み出しを示す図である。
【図３】広ダイナミックレンジ撮影の原理を説明するための説明図である。
【図４】本発明に係わる広大なミックレンジ撮影の一の実施例を説明するためのタイミングチャートである。
【図５】本発明に係わる広大なミックレンジ撮影の他の実施例を説明するためのタイミングチャートである。
【符号の説明】
４…ＣＣＤ（固体撮像素子）
５…タイミングジェネレータ（駆動回路）
７…画像処理ＩＣ回路
８…ＣＰＵ（制御部）
１２…広ダイナミックレンジ撮影処理部
【図１】
2005012315.tif 000003
【図２】
2005012315.tif 000004
【図３】
2005012315.tif 000005
【図４】
2005012315.tif 000006
【図５】
2005012315.tif 000007